(57)【要約】【課題】節水化と便器洗浄性能を両立することができる手洗い器付き小便器を提供する手洗い器付き小便器を提供する。【解決手段】本発明は、手洗い器を備えた手洗い器付き小便器であって、手洗い用の第１の瞬間流量の洗浄水を吐水する手洗吐水部と、手洗ボウル部と、手洗排水口と、を備えた手洗い器本体と、小便洗浄用の第１の瞬間流量よりも高い第２の瞬間流量の洗浄水を放射状に吐水するスプレッダと、便器ボウル部と、便器排水口と、を備えた小便器本体と、制御部と、を有し、制御部は、スプレッダを、手洗吐水部から吐水された第１の瞬間流量の第１の洗浄水量によらず第１の瞬間流量よりも高い第２の瞬間流量且つ便器ボウル部を洗浄するのに必要な一定量の第２の洗浄水量と、予め定めた予定洗浄水量から第２の洗浄水量及び第１の洗浄水量を減じた残りの第３の洗浄水量と、を合計した洗浄水量を吐水して制御するように構成されている。【選択図】図５
2013224548.tif 000002
【特許請求の範囲】
【請求項１】
手洗い器を備えた手洗い器付き小便器であって、
手洗い用の第１の瞬間流量の洗浄水を吐水する手洗吐水部と、この手洗吐水部から吐水された洗浄水を受ける手洗ボウル部と、この手洗ボウル部の底部に形成され洗浄水を排出する手洗排水口と、を備えた手洗い器本体と、
小便洗浄用の第１の瞬間流量よりも高い第２の瞬間流量の洗浄水を放射状に吐水するスプレッダと、上記手洗ボウル部の下方に延び且つ上記スプレッダから吐水された洗浄水及び上記手洗ボウル部の手洗排水口から排出された洗浄水を受ける便器ボウル部と、この便器ボウル部の底部に形成され洗浄水を下流側に形成された排水流路へ排出する便器排水口と、を備えた上記小便器本体と、
上記手洗吐水部及び上記スプレッダからの洗浄水の吐水を制御する制御部と、を有し、
上記制御部は、上記スプレッダを、上記手洗吐水部から吐水された第１の瞬間流量の第１の洗浄水量によらず上記第１の瞬間流量よりも高い第２の瞬間流量且つ上記便器ボウル部を洗浄するのに必要な一定量の第２の洗浄水量と、予め定めた予定洗浄水量から上記第２の洗浄水量及び上記第１の洗浄水量を減じた残りの第３の洗浄水量と、を合計した洗浄水量を吐水するように制御することを特徴とする手洗い器付き小便器。
【請求項２】
上記制御部は、上記スプレッダを、上記手洗吐水部から吐水された第１の洗浄水量によらず、１１〜１７L/minの瞬間流量且つ上記便器ボウル部を洗浄するのに必要な０．７Ｌ〜１．１Ｌの一定量の第２の洗浄水量を吐水するように制御する、請求項１記載の手洗い器付き小便器。
【請求項３】
上記制御部は、上記手洗吐水部からの吐水を行った後、所定間隔をあけて、上記スプレッダからの洗浄水の吐水を行う請求項１又は２の手洗い器付き小便器。
【請求項４】
上記小便器本体の上記便器排水口から下流側に形成された上記排水流路は、上記便器排水口から下方へ延びる下降流路と、この下降流路に連続して上方へ延びる上昇流路とを有している請求項１乃至請求項３の何れか１項に記載の手洗い器付き小便器。
【請求項５】
上記小便器本体は、更に、上記スプレッダから洗浄水を吐水する時に、その洗浄水中に電解水を注入する細菌抑制手段を有する請求項１乃至４の何れか１項に記載の手洗い器付き小便器。
【請求項６】
上記手洗い器本体は、更に、使用者に石鹸水を供給できる石鹸水吐水部と、手洗吐水部から洗浄水を吐水するときに、その洗浄水中に温水を供給できる電気温水器とを有する請求項１乃至４の何れか１項に記載の手洗い器付き小便器。
【発明の詳細な説明】
【技術分野】
【０００１】
本発明は、手洗い器を備えた手洗い器付き小便器に関する。
【背景技術】
【０００２】
従来から、特許文献１に示されているように、手洗い器を備えた手洗い器付き小便器において、手洗いを行った場合に、常に一定の総洗浄水量を保つことによって節水するために、トータルで大容量の４Ｌ（リットル）の洗浄水量のうち、一部(例えば２Ｌ)乃至全部（例えば４Ｌ）の洗浄水量を手洗い洗浄及び小便器洗浄に使用し、小便器への残りの洗浄水の供給を省略する手洗い器付き小便器が知られている。
【先行技術文献】
【特許文献】
【０００３】
【特許文献１】特開平５−３２１３１２号公報
【発明の概要】
【発明が解決しようとする課題】
【０００４】
しかしながら、上述した特許文献１に示すような手洗い器付き小便器においては、手洗い器の洗浄水が手洗い器の排水管から小便器の給水口を通して小便器に流下して洗浄に寄与するようになっている。
ここで、手洗吐水口から吐水される手洗洗浄水量が増える場合には、４Ｌから手洗洗浄水量を引いた残りの小便器に直接給水される洗浄水量が減少する。
手洗洗浄水量は増えるが、手洗洗浄水は瞬間流量が低く、手洗い器から小便器に流下してもボウル面において広がらないので、便器ボウル部が洗浄不良となることがあるという問題があった。
【０００５】
さらに、上述した特許文献１に示すような手洗い器付き小便器においては、トータルで大容量の４Ｌの洗浄水量を有効に使用するために、トータルで大容量の４Ｌの洗浄水量のうち、一部(例えば２Ｌ)乃至全部（例えば４Ｌ）の洗浄水量を手洗いに使用するという思想が開示されているが、ボウル部の洗浄を良好に行うのに必要な高い瞬間流量の一定量の洗浄水量の思想、及びトラップ排水路の置換に必要な洗浄水量の思想、は開示されていない。
従って、低い瞬間流量を有する手洗いの洗浄水量を、トラップ排水路の置換に有効な洗浄水量として考えた上で、ボウル面の洗浄が十分出来る洗浄水量以外の水量のうち、トラップの置換に有効な洗浄水量を保つように、便器吐水部からの吐水を制御してさらに節水化するという思想は考えられていなかった。
【０００６】
そこで、本発明は、従来技術の欠点を解決するためになされたものであり、洗浄水を高い瞬間流量で放射状に吐水するスプレッダを採用し、スプレッダが、手洗吐水部から吐水された洗浄水量によらず便器ボウル部を洗浄するのに必要な高い瞬間流量の一定の洗浄水量を常に吐水することができ、便器ボウル部の洗浄性能を安定し、便器ボウル部が洗浄不良となることを防ぐことができ、さらに、スプレッダが、手洗吐水部から吐水された洗浄水量に応じて、吐水する洗浄水量を削減することができ、節水化を達成することができ、節水化と便器洗浄性能を両立することができる手洗い器付き小便器を提供することを目的としている。
【課題を解決するための手段】
【０００７】
上述した目的を達成するために、本発明は、手洗い器を備えた手洗い器付き小便器であって、手洗い用の第１の瞬間流量の洗浄水を吐水する手洗吐水部と、この手洗吐水部から吐水された洗浄水を受ける手洗ボウル部と、この手洗ボウル部の底部に形成され洗浄水を排出する手洗排水口と、を備えた手洗い器本体と、小便洗浄用の第１の瞬間流量よりも高い第２の瞬間流量の洗浄水を放射状に吐水するスプレッダと、手洗ボウル部の下方に延び且つスプレッダから吐水された洗浄水及び手洗ボウル部の手洗排水口から排出された洗浄水を受ける便器ボウル部と、この便器ボウル部の底部に形成され洗浄水を下流側に形成された排水流路へ排出する便器排水口と、を備えた小便器本体と、手洗吐水部及びスプレッダからの洗浄水の吐水を制御する制御部と、を有し、制御部は、スプレッダを、手洗吐水部から吐水された第１の瞬間流量の第１の洗浄水量によらず第１の瞬間流量よりも高い第２の瞬間流量且つ便器ボウル部を洗浄するのに必要な一定量の第２の洗浄水量と、予め定めた予定洗浄水量から第２の洗浄水量及び第１の洗浄水量を減じた残りの第３の洗浄水量と、を合計した洗浄水量を吐水するように制御することを特徴としている。
このように構成された本発明においては、スプレッダが、手洗吐水部から吐水された第１の瞬間流量の第１の洗浄水量によらず第１の瞬間流量よりも高い第２の瞬間流量且つ便器ボウル部を洗浄するのに必要な一定量の第２の洗浄水量を常に吐水することができ、便器ボウル部の洗浄性能を安定し、便器ボウル部が洗浄不良となることを防ぐことができる。さらに、スプレッダが、上記第２の洗浄水量と、予め定めた予定洗浄水量から第２の洗浄水量及び第１の洗浄水量を減じた残りの第３の洗浄水量とを合計した洗浄水量を吐水することができるので、スプレッダが、手洗吐水部から吐水された第１の洗浄水量に応じて、吐水する洗浄水量を削減することができ、節水化を達成することができる。よって、節水化と便器洗浄性能を両立することができる。
【０００８】
本発明において、好ましくは、制御部は、スプレッダを、手洗吐水部から吐水された第１の洗浄水量によらず、１１〜１７L/minの瞬間流量且つ上記便器ボウル部を洗浄するのに必要な０．７Ｌ〜１．１Ｌの一定量の第２の洗浄水量を吐水するように制御する。
このように構成された本発明においては、スプレッダが手洗吐水部から吐水された第１の洗浄水量によらず、１１〜１７L/minの瞬間流量且つ便器ボウル部を洗浄するのに必要な０．７Ｌ〜１．１Ｌの一定量の第２の洗浄水量を吐水するので、便器ボウル部を確実に洗浄することができる最小限の水量とすることができ、節水化を達成することができる。よって、節水化と便器洗浄性能を両立することができる。
【０００９】
本発明において、好ましくは、制御部は、手洗吐水部からの吐水を行った後、所定間隔をあけて、スプレッダからの洗浄水の吐水を行う。
このように構成された本発明においては、手洗吐水部から吐水された洗浄水と、スプレッダから吐水された洗浄水とが、これらの洗浄水を受ける便器ボウル部から一気に便器排水口内に流入し、洗浄水が逆流することを防ぐことができ、排水流路の換水率（水の置換率）を向上させることができ、より節水化を行うことができる。よって、節水化と便器洗浄性能を両立することができる。
【００１０】
本発明において、好ましくは、小便器本体の便器排水口から下流側に形成された上記排水流路は、便器排水口から下方へ延びる下降流路と、この下降流路に連続して上方へ延びる上昇流路とを有している。
このように構成された本発明においては、排水流路は、便器排水口から下方へ延びる下降流路と、この下降流路に連続して上方へ延びる上昇流路とを有しているので、小便洗浄用の洗浄水の高い瞬間流量と比較して低い瞬間流量の手洗い用の洗浄水によって排水流路の換水を行うことができ、より節水化を行うことができる。よって、節水化と便器洗浄性能を両立することができる。
【００１１】
本発明において、好ましくは、小便器本体は、更に、スプレッダから洗浄水を吐水する時に、その洗浄水中に電解水を注入する細菌抑制手段を有する。
このように構成された本発明においては、洗浄水中に電解水を注入する細菌抑制手段により、洗浄水が流れた部分のバクテリアの増殖を抑制することができ、便器洗浄性能を保つことができる。
【００１２】
本発明において、好ましくは、手洗い器本体は、更に、使用者に石鹸水を供給できる石鹸水吐水部と、手洗吐水部から洗浄水を吐水するときに、その洗浄水中に温水を供給できる電気温水器とを有する。
このように構成された本発明においては、使用者が手洗い器付き小便器を使用する際に要望される石鹸水吐水部から供給される石鹸水及び温水を使用者に提供することができる。
【発明の効果】
【００１３】
本発明の手洗い器付き小便器によれば、節水化と便器洗浄性能を両立することができる手洗い器付き小便器を提供することができる。
【図面の簡単な説明】
【００１４】
【図１】本発明の実施形態による手洗い器付き小便器を示す斜視図である。
【図２】本発明の実施形態による手洗い器付き小便器を示す正面図である。
【図３】本発明の実施形態による手洗い器付き小便器の上面図である。
【図４】図２のIV−IV線に沿って見た部分断面図である。
【図５】本発明の実施形態による手洗い器付き小便器１の一連の洗浄動作の流れを示すフローチャートである。
【図６】総予定小便器洗浄水量中における手洗吐水量及びスプレッダからの吐水量の果たす機能等を説明する図である。
【発明を実施するための形態】
【００１５】
以下、図１乃至図４を参照して、本発明の実施形態による手洗い器付き小便器を説明する。図１は本発明の実施形態による手洗い器付き小便器を示す斜視図であり、図２は本発明の実施形態による手洗い器付き小便器を示す正面図であり、図３は本発明の実施形態による手洗い器付き小便器の上面図であり、図４は図２のIV−IV線に沿って見た部分断面図である。
【００１６】
図１に示すように、本発明の実施形態による手洗い器付き小便器１は、小便器本体２と、この小便器本体２の上方に設けられた手洗い器本体４とを備えており、小便器本体２と手洗い器本体４は、一体に構成されている。このように小便器本体２と手洗い器本体４を一体に構成することにより、従来の手洗いスペースが削減可能となり削減されたスペースをトイレ空間の他の目的等に有効に使用することができるようになっている。
小便器本体２は、小便を洗浄する洗浄水を放射状に吐水するスプレッダ６と、スプレッダ６から吐水された洗浄水を受ける便器ボウル部８とを備えている。
【００１７】
スプレッダ６は、便器ボウル部８の左右中心軸線上の便器ボウル部８の中央より上方の高さ位置に配置されている。スプレッダ６は、この上流側に設けられた便器給水流路１０に接続され、この便器給水流路１０は給水配管（図示せず）に接続されている。このスプレッダ６は、図２に矢印Ａで示した水の流れのように、供給された洗浄水をスプレッダ６を中心とした放射状に高い瞬間流量で吐水するように形成されている。このスプレッダ６は、便器ボウル部８の上部から放射状に水膜を形成するように勢いよく吐水するので、少ない洗浄水量でも便器ボウル部８の洗浄が行えるようになっている。便器ボウル部８を確実に洗浄するために、スプレッダ６から吐水される洗浄水が、便器ボウル部８全体に十分に広がって拡散しつつ高い瞬間流量を有して流下するのに必要な、１１〜１７L/min（リットル/分）の洗浄水の瞬間流量、及び０．７Ｌ〜１．１Ｌ（リットル）の一定の洗浄水量に設定されている。
【００１８】
便器ボウル部８は、この側面に形成されたボウル部側面壁１２と、このボウル部側面壁１２上において洗浄水を前方に誘導する段差を形成する段部１４と、このボウル部側面壁１２の周囲を取り囲む外側壁面１６とを備える。この便器ボウル部８のその底部には、洗浄水を排出する便器排水口１８が形成され、便器排水口１８は、この下流側に設けられた排水トラップ管路２０に接続されている。この排水トラップ管路２０は、下流側の横引配管２２に連結されている。
ボウル部側面壁１２は、小便器本体２の上部から底部まで延び、手洗い器本体４をその前面左右両側から後方にかけて覆うような壁形状に形成され、手洗い器本体４から下方に延びる流面を形成している。段部１４は、スプレッダ６近傍から便器ボウル部８の底部前方まで下方に張り出して湾曲した弧状に延びている。
この排水トラップ管路２０は、便器排水口１８から下方へ延びる下降管路２０ａと、この下降管路２０ａに連続してＵ字形状に折り返して上方へ立ち上がる上昇管路２０ｂと有し、下降管路２０ａと上昇管路２０ｂとによりトラップ管路を形成している。この排水トラップ管路２０は、小便器本体２と一体的に設けられても良く、また小便器本体２と別体として設けられてもよい。
【００１９】
図１乃至図３に示すように、手洗い器本体４は、手洗い用の洗浄水を前方下方に向かって吐水できるように設けられている手洗吐水部２４と、手洗吐水部２４から吐水された洗浄水を受ける手洗ボウル部２６とを備えている。
【００２０】
手洗吐水部２４は、スプレッダからの小便洗浄用の洗浄水の高い瞬間流量と比較して低い瞬間流量の手洗い用の洗浄水を吐水する。
図１乃至図３に示すように、手洗ボウル部２６は、ボウル形状（鉢形状）に形成され、手洗吐水部２４の下方に配置されている。図３に示すように、この手洗ボウル部２６が形成されている領域は、平面視で、便器ボウル部８が形成されている領域の内側に配置されている。
手洗ボウル部２６は、手洗ボウル部２６の底部２６ａを備え、この底部２６ａには、６つの手洗排水口２８が形成され、手洗排水口２８が鉛直方向下方に延びて便器ボウル部８内側と連通し、手洗排水口２８から排出された洗浄水を便器ボウル部８に供給するようになっている。
【００２１】
図２に示すように、手洗い器付き小便器１には、さらに、壁面３０の小便器本体２の上方の裏側に配置された光電センサ３２と、この光電センサ３２が検出した検出情報に基づいて、小便器本体２の洗浄作用を制御する制御手段である便器吐水制御部３４と、この便器吐水制御部３４からの制御信号に従って、洗浄水をスプレッダ６から便器ボウル部８に吐水させる吐水手段である便器吐水電磁弁３６と、洗浄水（給水）を電気分解して生成した電解水を洗浄水中に注入する細菌抑制装置３８とが設けられている。
【００２２】
光電センサ３２は、光を用いて人及び物体の有無を検出するセンサである。
便器吐水制御部３４は、建築物の壁面３０の裏側に配置され、細菌抑制装置３８、後述する手洗吐水制御部５６、他の手洗い器付き小便器の便器吐水制御部等と接続しながら連動して制御できるようにされている。
便器吐水電磁弁３６は、便器給水流路１０に設けられ、便器吐水制御部３４から送られる制御信号に基づいて開閉される。
細菌抑制装置３８は、便器給水流路１０上のスプレッダ６と便器吐水電磁弁３６との間に設けられ、尿を分解して尿石を発生させるバクテリア（細菌）の繁殖を抑制できる電解水（水中に含まれる銀イオンが残留塩素を活性化させた水）を洗浄水中に注入するためのものである。
【００２３】
図２に示すように、手洗い器付き小便器１には、さらに、手洗吐水部２４の内部の最前面に配置された手洗吐水用赤外センサ４０と、建築物の壁面３０の裏側に配置され、水又は適温の温水を手洗い器給水流路４１を通して手洗吐水部２４に供給する電気温水器制御部４２と、石鹸水を吐水できる水石鹸吐水部４４と、水石鹸吐水部４４と水石鹸吐水部４４の壁面裏側から水石鹸流路４６を介して接続された水石鹸タンク４８と、が設けられている。
【００２４】
手洗吐水用赤外センサ４０は、赤外線を検出するセンサであり、使用者の手、腕、手に持ったコップや洗浄用具等の器具を検出すると検出信号を後述する手洗吐水制御部５６に送るようになっている。
電気温水器制御部４２は、建物給水設備側の給水管５０及び給湯管５２と接続され、給水管５０及び給湯管５２から供給された水及びお湯を混合して適温の温水を給水する電気温水器５４と、手洗吐水用赤外センサ４０が検出した検出情報に基づいて、手洗い器本体４の手洗洗浄作用を制御する制御手段である手洗吐水制御部５６と、この手洗吐水制御部５６からの制御信号に従って、電気温水器５４と手洗い器給水流路４１との間の弁体を開閉し、洗浄水を手洗吐水部２４から吐水させる吐水手段である手洗吐水電磁弁５８とを備えている。
手洗吐水制御部５６は、便器吐水制御部３４、手洗吐水用赤外センサ４０、電気温水器５４及び手洗吐水電磁弁５８等に接続され、これらの装置と連動して所定の手洗い動作を行うように制御することができる。
手洗吐水電磁弁５８は、手洗い器給水流路４１と接続され、この上流側には電気温水器５４を介して給湯管５２と、給水管５０と連通する流路が接続されている、この手洗吐水電磁弁５８は、手洗吐水制御部５６から送られる制御信号に基づいて開閉される。
【００２５】
水石鹸吐水部４４は、壁面３０から手洗吐水部２４と並んで前方向に突出するように配置され、使用者が水石鹸吐水部４４の前側頭部を押す場合に、石鹸水を噴出させるように形成されている。水石鹸吐水部４４によって、使用者が手等を石鹸水によって衛生的に洗浄できる。この水石鹸吐水部４４は、水石鹸吐水部４４の壁面３０裏側から壁面３０の裏側に沿って配置されている水石鹸流路４６を介して水石鹸タンク４８と連通されている。
水石鹸タンク４８は、使用者が手洗い時等に使用する石鹸水を貯蔵できるタンクであり、水石鹸吐水部４４より上方且つ壁面３０の裏側に配置されている。
【００２６】
次に、本発明の実施形態による手洗い器付き小便器の動作を説明する。
先ず、本発明の実施形態による手洗い器付き小便器１による小便洗浄動作の流れのみを説明する。
通常、使用者が手洗い器付き小便器１の前に立つと、光電センサ３２が使用者の存在を検出して検出情報を便器吐水制御部３４に送り、便器吐水制御部３４は使用者の存在を認識する。使用者が手洗い器付き小便器１の便器ボウル部８に放尿を終え、放尿を済ませた使用者が手洗い器付き小便器１の前から立ち去るときに、光電センサ３２が使用者の存在を検出しなくなる状態に変化する。光電センサ３２が非検出状態となると、便器吐水制御部３４は使用者が手洗い器付き小便器１から立ち去ったと認識して、便器吐水制御部３４は小便洗浄を開始する。
便器吐水制御部３４は、便器吐水電磁弁３６に制御信号を送って便器吐水電磁弁３６を開き、１１〜１７L/minの瞬間流量の洗浄水をスプレッダ６から便器ボウル部８に吐水させる。吐水される洗浄水の水量は後述するように算出された所定の流量に設定されている。スプレッダ６から吐水される洗浄水は、スプレッダ６から放射状方向に、便器ボウル部８のボウル部側面壁１２及び段部１４の面上に拡がるような向き（矢印Ａに示すような流れの向き）に吐水され、便器ボウル部８の内面全体にわたって高い瞬間流量で流下しながら便器ボウル部８の良好な洗浄を行うことができる。洗浄水は、便器ボウル部８を流下し便器排水口１８より排出され、この下流の排水トラップ管路２０を通過し、横引配管２２に流入し、さらに下流の排水配管（図示せず）に向かって流れる。
スプレッダ６からの所定の瞬間流量の吐水が一定時間継続されると、便器吐水制御部３４は、便器吐水電磁弁３６を閉止して、スプレッダ６からの吐水を終了させる。
【００２７】
次に、本発明の実施形態による手洗い器付き小便器１による手洗洗浄動作の流れのみを説明する。
使用者が、手洗い器付き小便器１の前に立った状態において、手等を手洗吐水用赤外センサ４０の検出範囲に移動させると、手洗吐水用赤外センサ４０が手等を検出して検出信号を手洗吐水制御部５６に送り、手洗吐水制御部５６が手洗洗浄動作を開始し、手洗吐水制御部５６が手洗吐水電磁弁５８を開いて、手洗吐水を開始する。吐水される洗浄水の量は約２〜４L/minの比較的低い瞬間流量でほぼ一定に設定されている。手洗吐水が開始されると、手洗吐水制御部５６が、手洗吐水用赤外センサ４０の検出情報或いは手洗吐水電磁弁５８の開閉情報等にもとづいて手洗吐水継続時間、手洗吐水量等をモニター（計測）して、これらの情報等を便器吐水制御部３４に伝達する。
洗浄水は、手洗吐水部２４から手洗ボウル部２６に向かって吐水され、手洗ボウル部２６内の洗浄水は、手洗排水口２８を通って流下し、小便器本体２の便器ボウル部８に流入し、ボウル部側面壁１２に沿って流下する。このとき流下する洗浄水は約２〜４L/minの低い瞬間流量で、便器ボウル部８内横方向に広がる流れよりもほぼ下方に向かう流れを形成しながら流下する。流下した洗浄水は、便器排水口１８より排出されるが、便器排水口１８から排水トラップ管路２０に流入する洗浄水は、便器排水口１８から下方へ延びる下降管路２０ａと、この下降管路２０ａに連続して上方へ延びる上昇管路２０ｂとを通過し、下降管路２０ａと上昇管路２０ｂとにより形成されている排水トラップ管路内の洗浄水を置換する。約２〜４L/minの低い瞬間流量の洗浄水が排水トラップ管路２０に流入する場合と、約１１〜１７L/minの瞬間流量の洗浄水の洗浄水が排水トラップ管路２０に流入する場合とを比較すると、低い瞬間流量の洗浄水が下降管路２０ａと上昇管路２０ｂとを有するような排水トラップ管路２０に流入する場合に排水トラップ管路内の洗浄水が置換される割合（換水率）は瞬間流量が高い場合とほぼ等しい。従い、低い瞬間流量の洗浄水を排水トラップ管路２０に流入させることにより、排水トラップ管路内の洗浄水を置換させることができる。この排水トラップ管路２０を通過した洗浄水は、横引配管２２に流入し、さらに下流の排水配管（図示せず）に流出する。
手洗吐水用赤外センサ４０が使用者の手等の存在を検出しなくなると、手洗吐水制御部５６が手洗吐水電磁弁５８を閉止して、手洗吐水部２４からの吐水を停止させる。
この手洗い器付き小便器１の手洗洗浄動作は、通常は、使用者が放尿を終えて立ち去る前に手洗い器付き小便器１の前に立った状態のまま行われるので、小便洗浄動作が行われる前に行われる。
【００２８】
次に、図５及び図６により、本発明の実施形態による手洗い器付き小便器１の小便洗浄動作及び手洗洗浄動作を合わせた一連の洗浄動作（作用）について説明する。
図５は、本発明の実施形態による手洗い器付き小便器１の一連の洗浄動作の流れを示すフローチャートである。ここで、図５において、Ｓは各ステップを示している。図６は、総予定小便器洗浄水量中における手洗吐水量及びスプレッダからの吐水量の果たす機能等を説明する図である。
【００２９】
まず、Ｓ１において、使用者が手洗い器付き小便器１の前に立っていない場合は、光電センサ３２は使用者の存在を検出（人体を検知）しておらず、便器吐水制御部３４は使用者の存在を認識しておらず、光電センサ３２が使用者の存在を検知するまでＳ１の開始前に戻ってＳ１の検出判定を繰り返すようになっている。使用者が手洗い器付き小便器１の前に立つと、光電センサ３２が使用者の存在を検出して検出情報を便器吐水制御部３４に送り、便器吐水制御部３４は使用者の存在を認識して、Ｓ２に進む。
【００３０】
Ｓ１からＳ２に進む間にも、使用者は手洗い器付き小便器１の前に立ったままの状態であり、使用者が手洗い器付き小便器１の便器ボウル部８に放尿を行っていてもよい。
Ｓ２においては、手洗吐水用赤外センサ４０が使用者の手、指、及び顔等の存在を検知したか否かの判定を行っている。
手洗吐水用赤外センサ４０が使用者の手等の存在を検知していない場合には、便器吐水制御部３４は使用者の手洗い吐水がなされていないと認識しており、一旦Ｓ５に進むが、引き続き、便器吐水制御部３４が使用者は手洗い器付き小便器１の前に立ったままの状態であると認識している場合には、再びＳ２の判定に戻る。
手洗吐水用赤外センサ４０が使用者の手等の存在を検出する場合、例えば、放尿を済ませた使用者が、手等を手洗吐水用赤外センサ４０の検出範囲に移動させる場合、手洗吐水用赤外センサ４０が手等を検出して検出信号を手洗吐水制御部５６に送り、Ｓ３に進む。
【００３１】
Ｓ３において、手洗吐水制御部５６が手洗吐水用赤外センサ４０からの検出信号を受けると手洗吐水電磁弁５８を開いて、手洗吐水を開始する。
Ｓ４において、手洗吐水制御部５６は、手洗吐水が開始されてから手洗吐水が終了されるまでの手洗吐水量をモニター計測及び/或いは流量と開弁時間によって計算し、この手洗吐水量の情報を便器吐水制御部３４に伝達する。このモニター計測或いは流量計算等は、便器吐水制御部３４によって全部又は一部が行われてもよい。手洗吐水部２４が吐水を終了するときには、手洗吐水制御部５６は、この手洗吐水量のモニターを終了し、Ｓ２に戻り、手洗吐水用赤外センサ４０は使用者の手等の存在を検出していない状態であるので、Ｓ２からＳ５に進む。
【００３２】
Ｓ５において、便器吐水制御部３４が光電センサ３２が使用者の存在を検出しているか否かの判定を行っている。すなわち、使用者が手洗い器付き小便器１の前に立っている場合には、再びＳ２の判定に戻り、光電センサ３２が使用者の存在を検出しなくなるまで、すなわち使用者が手洗い器付き小便器１の前から立ち去るまでＳ２の判定を繰り返すように設定されている。
Ｓ５において、光電センサ３２が使用者の存在を検出しなくなると便器吐水制御部３４が使用者の放尿及び/或いは手洗い洗浄が終了したと認識して、Ｓ６に進む。
【００３３】
Ｓ６において、便器吐水制御部３４は、予め設定された総予定小便器洗浄水量からモニターされた手洗吐水量を引いた値が便器ボウル部８の洗浄に必要となる１Ｌより小さくなるか否かを判定する。図６に示すように、総予定小便器洗浄水量は、手洗い等に必要な手洗吐水量と便器ボウル部の洗浄等に必要なスプレッダ吐水量との合計として予め設定された１回の予定小便器総使用水量であり、また、便器ボウル部８の洗浄に必要な洗浄水量と排水トラップを換水するのに必要な洗浄水量との合計として予め設定された１回の予定小便器総使用水量でもある。
予め設定された総予定小便器洗浄水量２Ｌから上記手洗吐水量を引いた値が上記１Ｌより小さくなる場合、すなわち、予め設定された総予定小便器洗浄水量２Ｌに対して、使用者が実際に手洗いをしたときに使用した手洗吐水量が１Ｌより多く、総予定小便器洗浄水量−手洗吐水量＜１Ｌとなる場合、Ｓ７に進む。
予め設定された総予定小便器洗浄水量２Ｌから上記手洗吐水量を引いた値が上記１Ｌより大きくなる場合、すなわち、予め設定された総予定小便器洗浄水量２Ｌに対して、使用者が実際に手洗いをしたときに使用した手洗吐水量が１Ｌ以下と少なく、総予定小便器洗浄水量−手洗吐水量≧１Ｌとなる場合、Ｓ８に進む。
【００３４】
Ｓ７において、便器吐水制御部３４は、便器吐水電磁弁３６を開弁し、便器ボウル部８を洗浄するのに必要な高い瞬間流量の約１Ｌの洗浄水量をスプレッダ６から吐水させる。便器ボウル部８を洗浄するのに必要な比較的高い瞬間流量の洗浄水量は、１１〜１７L/minの瞬間流量においてスプレッダ６から吐水されるように便器吐水電磁弁３６が４秒間開弁し、便器ボウル部８を洗浄するのに必要な０．７Ｌ〜１．１Ｌの一定量の洗浄水量となる範囲内に設定されている。
Ｓ７において、手洗吐水量が１Ｌより多いので、排水トラップ管路の換水を行うために必要な約１Ｌの洗浄水量が、洗吐水部２４からの吐水により供給されることになる。ここで、総予定小便器洗浄水量−手洗吐水量＜１Ｌとなるので、総予定小便器洗浄水量−手洗吐水量の洗浄水量をスプレッダ６から吐水させるのではなく、約１Ｌの洗浄水量をスプレッダ６から吐水させることにより、便器ボウル部８の洗浄性能を確保することができる。Ｓ７においてスプレッダからの吐水が終了するとエンドに進む。
【００３５】
Ｓ８において、図６に示すように、便器吐水制御部３４は、便器吐水電磁弁３６を開弁し、総予定小便器洗浄水量から手洗吐水部２４から吐水された０．５Ｌの洗浄水量を減じた残りの１．５Ｌの洗浄水量をスプレッダ６から吐水させる。２．０Ｌの総予定小便器洗浄水量から０．５Ｌの手洗洗浄水量を減じた残りの１．５Ｌの洗浄水量は、便器ボウル部８を洗浄するのに必要な高い瞬間流量の１Ｌの洗浄水量と、手洗吐水による０．５Ｌの洗浄水量のみでは排水トラップ管路２０の換水を行うために必要な１Ｌに不足している残りの排水トラップ換水用の０．５Ｌの洗浄水量との合計となっている。
なお、手洗吐水洗浄水量と、スプレッダ６からの吐水洗浄水量との洗浄水量の割合は、排水トラップ２０換水用に確保されている合計約１．０Ｌの洗浄水のうち、手洗吐水洗浄水量に応じて変更可能である。このように手洗吐水部２４から吐水された洗浄水量を、排水トラップ換水用に利用するので、このような思想の無かった従来技術よりもスプレッダ６からの吐水洗浄水量を減らすことができ、従来よりも洗浄水量を減らして節水化が可能となっている。
Ｓ８においてスプレッダからの吐水が終了するとエンドに進む。
【００３６】
Ｓ７を経由してエンドになる場合、及びＳ８を経由してエンドになる場合ともに、便器ボウル部８を洗浄するのに必要な高い瞬間流量の１Ｌの洗浄水量がスプレッダ６から吐水され、便器ボウル部８を良好に洗浄できている。Ｓ８においても、便器ボウル部を洗浄するのに必要な高い瞬間流量の洗浄水量は、上記便器ボウル部８を洗浄するのに必要な１１〜１７L/minの瞬間流量で４秒開弁し、０．７Ｌ〜１．１Ｌの一定量の洗浄水量の範囲内に設定されている。
また、Ｓ７における手洗吐水量か、或いはＳ８における手洗吐水量にスプレッダ６から吐水する洗浄水量の一部を加えた洗浄水量かのいずれかを、排水トラップ管路２０内の洗浄水を置換させる（換水させる）ことができる１Ｌとすることができるので、排水トラップ管路２０内の洗浄水を置換させることができる約１Ｌの洗浄水量を確保しつつ、それ以外の洗浄水量を削減することができる。
【００３７】
さらに、Ｓ７及びＳ８において共通して、便器吐水制御部３４は、手洗吐水部２４からの吐水を行った後、手洗吐水部２４から吐水された洗浄水がスプレッダ６の位置より下に流下するような所定時間間隔をあけて、スプレッダ６からの洗浄水の吐水を行わせる。従って、スプレッダ６から吐水される洗浄水が手洗吐水部２４から吐水される洗浄水が流下した後に引き続いて或いは時間を空けて流下を開始することになり、手洗吐水部２４から吐水された洗浄水と、スプレッダ６から吐水された洗浄水とが、これらの洗浄水を受ける便器ボウル部８から一気に便器排水口１８内に流入するのを防ぎ、洗浄水を排水トラップ管路２０内を逆流しにくく滑らかに流すことができ、排水トラップ管路２０の換水率（水の置換率）を向上させることができ、より節水化を行うことができる。
便器吐水制御部３４は、上記所定の洗浄水量をスプレッダ６から吐水させた後、便器吐水電磁弁３６を閉弁し、スプレッダ６からの吐水を停止させて、一連の洗浄動作を終了させる。
【００３８】
次に、上述した本発明の実施形態による手洗い器付き小便器の作用効果を説明する。
上述した手洗い器付き小便器１によれば、スプレッダ６が、手洗吐水部２４から吐水された比較的低い第１の瞬間流量のモニターされた手洗吐水量（第１の洗浄水量）によらず、第１の瞬間流量よりも高い第２の瞬間流量且つ便器ボウル部８を洗浄するのに必要な一定量の第２の洗浄水量を常に吐水することができ、便器ボウル部８の洗浄性能を安定し、便器ボウル部８が洗浄不良となることを防ぐことができる。さらに、スプレッダ６が、予め定めた予定洗浄水量から第２の洗浄水量及び第１の洗浄水量を減じた残りの排水トラップ換水に使用できる第３の洗浄水量とを合計した洗浄水量を吐水することができるので、スプレッダ６が、手洗吐水部２４から吐水された第１の洗浄水量に応じて、吐水する洗浄水量を削減することができ、節水化を達成することができる。よって、節水化と便器洗浄性能を両立することができる。
【００３９】
本発明の実施形態による手洗い器付き小便器１によれば、スプレッダ６が手洗吐水部２４から吐水された第１の洗浄水量によらず、１１〜１７L/minの瞬間流量且つ便器ボウル部８を洗浄するのに必要な０．７Ｌ〜１．１Ｌの一定量の第２の洗浄水量を吐水するので、便器ボウル部８を確実に洗浄することができる最小限の水量とすることができ、節水化を達成することができる。よって、節水化と便器洗浄性能を両立することができる。
【００４０】
また、本発明の実施形態による手洗い器付き小便器１によれば、手洗吐水部２４から吐水された洗浄水と、スプレッダ６から吐水された洗浄水とが、これらの洗浄水を受ける便器ボウル部８から一気に便器排水口１８内に流入し、洗浄水が逆流することを防ぐことができ、排水トラップ管路２０の換水率（水の置換率）を向上させることができ、より節水化を行うことができる。よって、節水化と便器洗浄性能を両立することができる。
【００４１】
さらに、本発明の実施形態による手洗い器付き小便器１によれば、排水トラップ管路２０は、便器排水口１８から下方へ延びる下降流路２０ａと、この下降流路２０ａに連続して上方へ延びる上昇流路２０ｂとを有しているので、小便洗浄用の洗浄水の高い瞬間流量と比較して低い瞬間流量の手洗い用の洗浄水によって排水トラップ管路２０の換水を行うことができ、より節水化を行うことができる。よって、節水化と便器洗浄性能を両立することができる。
【００４２】
さらに、本発明の実施形態による手洗い器付き小便器１によれば、洗浄水中に電解水を注入する細菌抑制装置３８により、洗浄水が流れた部分のバクテリアの増殖を抑制することができ、便器洗浄性能を保つことができる。
【００４３】
さらに、本発明の実施形態による手洗い器付き小便器１によれば、使用者が手洗い器付き小便器１を使用する際に要望される、水石鹸吐水部４４から供給される石鹸水及び電気温水器５４から供給される温水を使用者に提供することができる。
【符号の説明】
【００４４】
１            小便器
２            小便器本体
４            手洗い器本体
６            スプレッダ
８            便器ボウル部
１８          便器排水口
２０ａ        下降管路
２０ｂ        上昇管路
２０          排水トラップ管路
２２          横引配管
２４          手洗吐水部
２６          手洗ボウル部
２６ａ        底部
２８          手洗排水口
３４          便器吐水制御部
３８          細菌抑制装置
４０          手洗吐水用赤外センサ
４２          電気温水器制御部
４４          水石鹸吐水部
５４          電気温水器
５６          手洗吐水制御部
Ａ            矢印
【図１】
2013224548.tif 000003
【図２】
2013224548.tif 000004
【図３】
2013224548.tif 000005
【図４】
2013224548.tif 000006
【図５】
2013224548.tif 000007
【図６】
2013224548.tif 000008